(57)【特許請求の範囲】
【請求項１】
コンクリートの補修面に当接されて用いられる樹脂パネルであって、格子状のリブによって区画されたコンクリート面の目視が可能な多数の透視穴が形成され、このリブのパネルの厚さ方向の断面はコンクリート面から立ち上がり先端が細くなる縦長の台形状をなしており、コンクリ−トへの取付穴がパネルの外周より側部に突出して形成されたことを特徴とするコンクリート補修面用パネル。
【請求項２】
コンクリートの補修面に当接されて用いられる樹脂パネルであって、格子状のリブによって区画されたコンクリート面の目視が可能な多数の透視穴が形成され、このリブのパネルの厚さ方向の断面はコンクリート面から立ち上がり先端が細くなる縦長の台形状をなしており、コンクリ−トへの取付穴が前記透視穴の一部を埋め、この部位に穴が形成されたことを特徴とするコンクリート補修面用パネル。
【発明の詳細な説明】
【０００１】
【発明の属する技術分野】
本発明はトンネル等のコンクリートの補修面用パネルに関する。
【０００２】
【従来の技術】
近年の土木工事にあってはコンクリート打設が欠かせない技術であり、例えば鉄道や高速道路等のトンネル壁面もコンクリートが打設されている。しかるに、コンクリートの打設時に地山に対するアンカーが不十分であったり、セメント材の選択によっては打設後にコンクリートが剥離したり崩落することがある。
【０００３】
このため、トンネル内のコンクリート壁面を目視により、或いは打感等によってその剥離の程度が検査され、剥離や脱落があった場合にはその部位を囲んで大きくコンクリートを落とし、ここに新たなコンクリートを打設したり、地山に向けてアンカーを深く打ち込んだり、エポキシ樹脂等を注入して剥離を防止する手段が取られていた。
【０００４】
そして、このような措置を施した後にコンクリート面を金属プレートにて覆うことが行われており、場合によっては施した措置を確認するために固定した金属プレートを取り外して検査することもある。
【０００５】
【発明が解決しようとする課題】
本発明は上記した従来の技術に鑑みてなされたものであって、トンネル等のコンクリートの補修面用パネルを提供するものである。
【０００６】
【課題を解決するための手段】
本発明の第１の要旨は、コンクリートの補修面に当接されて用いられる樹脂パネルであって、前記パネルにはリブによって区画されたコンクリート面の目視が可能な多数の透視穴が形成され、このリブのパネルの厚さ方向の断面はコンクリート面から立ち上がり先端が細くなる縦長の台形状をなしており、コンクリ−トへの取付穴がパネルの外周より側部に突出して形成されたコンクリート補修面用パネルにかかるものである。
【０００７】
本発明の第２の要旨は、コンクリートの補修面に当接されて用いられる樹脂パネルであって、前記パネルにはリブによって区画されたコンクリート面の目視が可能な多数の透視穴が形成され、このリブのパネルの厚さ方向の断面はコンクリート面から立ち上がり先端が細くなる縦長の台形状をなしており、コンクリ−トへの取付穴が前記透視穴の一部を埋め、この部位に穴が形成されたコンクリート補修面用パネルにかかるものである。
【０００８】
【発明の実施の形態】
本発明は以上の構成を有しており、コンクリート補修面に当接固定されて用いられ、このパネルを補修されたコンクリート面に当接固定してコンクリートの崩落を防止し、しかも透視穴からコンクリート面の補修状態を目視できることを特徴としたものである。透視穴を構成するリブのパネルの厚さ方向の断面はコンクリート面から立ち上がる縦長の形状をなしており、コンクリ−ト側より先端が細くなる台形状をなしている。尚、当該パネルは不飽和ポリエステル樹脂やエポキシ樹脂等の熱硬化性樹脂（好ましくはＦＲＰ）であり、一方、ＰＰやＰＥ等の熱可塑性樹脂でも製造できることは言うまでもない。
【０００９】
なお、コンクリート面への当接固定は長尺のプレートをパネルの外側に当て、アンカーにてこれを固定する手段があるが、本発明はパネルにコンクリート面への取付穴を形成しておくものである。かかるコンクリート面への取付穴は、パネルの外周より側部に突出して形成され、或いは取付穴が透視穴の一部を埋め、この部位に穴が形成され、更には取付穴がリブの一部に形成されたものでもよい。そして、透視穴の例としては格子状、三角形状、六角形状等特に限定はない。
【００１０】
本発明を製造するには、例えば、上下に分割できるモールドを用い、この間に樹脂を充填してパネルを製造するものである。
【００１１】
【実施例】
以下、本発明を図面をもって更に詳細に説明する。
図１は本発明の第１のパネルを示す正面図、図２はＡーＡ線での断面図、図３はＢーＢ線での断面図、図４はＣーＣ線での断面図である。図中、１はコンクリート補修面用パネルの一部であり、ＦＲＰ樹脂（不飽和ポリエステル樹脂にガラス繊維を配合した樹脂）製であり、２は縦横に伸びる格子状のリブで、これによって多数の透視穴３が形成されている。
【００１２】
この透視穴３を構成するリブ２は、パネル１の裏側即ちコンクリート面に接する側の幅が広く、表面側の幅が狭く構成され、断面が細長い台形となっている。このため、リブ２のコンクリート面に対する設置面積を大きくし、かつこれによって形成される透視穴３からコンクリート補修面が目視できることとなる。リブの断面を台形（傾斜面とする）にすることは、パネル１の製造時にモールドからの離型が容易とする意味もある。
【００１３】
図中、４ａはパネル１の外周に形成した取付穴であって、これはパネル１の周囲に複数個設けられ、これによってコンクリート（地山）内にアンカー５を打ち込むことによって固定される。
【００１４】
図５はこのパネル１を用いた際の断面図であり、１１は補修工事がなされたコンクリート面、１２は地山である。アンカー５は取付穴４ａを介して地山１２に到達するように打ち込まれるのがよい。この図からも分かるように、パネル１によって補修されたコンクリート面１１の崩落を阻止し、かつ透視穴３からコンクリート面１１が目視できることとなったものである。
【００１５】
図６は本発明の第２のパネルの例を示す正面図、図７はＤーＤ線での断面図である。このパネルの特徴は取付穴４ｂが格子を埋め込んだ部位に形成したものである。アンカ−による取付法は上記と同様である。
【００１６】
【発明の効果】
本発明は以上の通りであり、コンクリートの崩落が阻止され、しかも補修されたコンクリート面がパネルの格子を通して目視できる等の特徴があり、特にトンネル内でのコンクリートの補修が極めて容易となったものである。
【図面の簡単な説明】
【図１】図１は本発明のコンクリート補修面用パネルの第１例を示す正面図である。
【図２】図２は図１のＡーＡ線での断面図である。
【図３】図３は図１のＢーＢ線での断面図である。
【図４】図４は図１のＣーＣ線での断面図である。
【図５】図５はパネルをコンクリート面に用いた断面図である。
【図６】図６は本発明のコンクリート補修面用パネルの第２例を示す正面図である。
【図７】図７は図６のＤーＤ線での断面図である。
【符号の説明】
１‥コンクリート補修面用パネル、
２‥リブ、
３‥透視穴、
４ａ、４ｂ‥取付穴、
５‥アンカー、
１１‥補修されたコンクリート面、
１２‥地山、
１３‥プレート、
１３ａ‥プレートの取付穴。
【図１】
0003625177.tif 000002
【図２】
0003625177.tif 000003
【図３】
0003625177.tif 000004
【図４】
0003625177.tif 000005
【図５】
0003625177.tif 000006
【図６】
0003625177.tif 000007
【図７】
0003625177.tif 000008